【手続補正書】
【提出日】平成27年3月17日(2015.3.17)
【手続補正１】
【補正対象書類名】特許請求の範囲
【補正対象項目名】全文
【補正方法】変更
【補正の内容】
【特許請求の範囲】
【請求項１】
タッチスクリーンディスプレイを有するポータブル電子装置が実行する方法であって、
３つ以上のオブジェクトを、順序づけされた集合として表示するステップと、
前記タッチスクリーンディスプレイ上でジェスチャを検出するステップと、
前記ジェスチャが、スワイプ・ジェスチャとタップ・ジェスチャとのいずれかを判定するステップと、
前記ジェスチャがスワイプ・ジェスチャであるとの判定に応じて、
前記スワイプ・ジェスチャが第１の方向へのジェスチャであるとの判定に応じて、前記順序づけされた集合を２番目のオブジェクトが最も左の位置に表示されるように並進移動するステップと、
前記スワイプ・ジェスチャが第２の方向へのジェスチャであるとの判定に応じて、前記順序づけされた集合を２番目のオブジェクトが最も右の位置に表示されるように並進移動するステップと、
前記ジェスチャがタップ・ジェスチャであるとの判定に応じて、
前記３つ以上のオブジェクトの表示を、前記タップ・ジェスチャに対応する前記３つ以上のオブジェクトのうちの１つの拡大されたオブジェクトの表示により置換するステップと
を有する、方法。
【請求項２】
前記３つ以上のオブジェクトのうちの１つのオブジェクトの拡大の間に、ズームアニメーションが表示される、請求項１に記載の方法。
【請求項３】
前記３つ以上のオブジェクトのうちの１つのオブジェクトが、前記拡大の間に前記タッチスクリーンディスプレイの中央にスクロールされる、請求項２に記載の方法。
【請求項４】
前記３つ以上のオブジェクトのうち前記拡大された１つのオブジェクトは、前記タッチスクリーンディスプレイ上で実質的にセンタリングされる、請求項１に記載の方法。
【請求項５】
前記３つ以上のオブジェクトのうち前記拡大された１つのオブジェクトの上でタップ・ジェスチャが検出されたとの判定に応じて、
前記拡大またはセンタリングがリバースされる、請求項４に記載の方法。
【請求項６】
前記３つ以上のオブジェクトのうち前記拡大された１つのオブジェクトは、前記タッチスクリーンディスプレイの１以上の辺に沿って所定量のパッディングとともに表示される、請求項１に記載の方法。
【請求項７】
前記３つ以上のオブジェクトのうち前記拡大された１つのオブジェクトは、前記タッチスクリーンディスプレイを満たす、請求項１に記載の方法。
【請求項８】
前記タップ・ジェスチャの位置は、前記３つ以上のオブジェクトのうちの１つのオブジェクト内、または、その近傍の、前記タッチスクリーンディスプレイ上の位置に対応する、請求項１に記載の方法。
【請求項９】
前記タップ・ジェスチャの位置は、前記３つ以上のオブジェクトのうちの１つのオブジェクトと関連づけられたアイコンに対応する、前記タッチスクリーンディスプレイ上の位置に対応する、請求項１に記載の方法。
【請求項１０】
前記３つ以上のオブジェクトは、アプリケーション・ウィンドウにそれぞれ対応する、請求項１に記載の方法。
【請求項１１】
前記アプリケーションは、インターネット・ブラウザ・アプリケーションである、請求項１０に記載の方法。
【請求項１２】
前記アプリケーション・ウィンドウのそれぞれは、２つ以上の異なるアプリケーションに対応する、請求項１０に記載の方法。
【請求項１３】
前記３つ以上のオブジェクトは、アルバム内の画像のそれぞれに対応する、請求項１に記載の方法。
【請求項１４】
前記３つ以上のオブジェクトは、アプリケーションのアイコンにそれぞれ対応する、請求項１に記載の方法。
【請求項１５】
前記ジェスチャが、削除操作と関連づけられた所定のジェスチャであるとの判定に応じて、
前記３つ以上のオブジェクトのうち、前記所定のジェスチャと関連づけられた１つのオブジェクトの表示を削除するステップを有する、請求項１に記載の方法。
【請求項１６】
前記３つ以上のオブジェクトのうち削除された１つのオブジェクトの隣接オブジェクトを、前記３つ以上のオブジェクトのうち前記削除された１つのオブジェクトにより以前に占められていた位置を占めるように左または右の位置から移動させるステップを含む、請求項１５に記載の方法。
【請求項１７】
前記３つ以上のオブジェクトのうち前記削除される１つのオブジェクトは前記削除の間に表示から消え去るようにアニメーション表示され、隠れていたオブジェクトが前記削除後に表示に現れるようにアニメーション表示される、請求項１６に記載の方法。
【請求項１８】
前記３つ以上のオブジェクトのうち前記削除される１つのオブジェクト内での前記所定のジェスチャの最初の接触の検出により、前記所定のジェスチャは前記３つ以上のオブジェクトのうち前記削除される１つのオブジェクトと関連づけられる、請求項１７に記載の方法。
【請求項１９】
前記所定のジェスチャは、前記３つ以上のオブジェクトのうち前記削除される１つのオブジェクトと関連づけられる削除アイコン上でのタップ・ジェスチャである、請求項１５に記載の方法。
【請求項２０】
コンピュータ装置であって、
タッチスクリーンディスプレイと、
１つ以上のプロセッサと、
メモリと、
１つ以上のプログラムと
を備え、
前記１つ以上のプログラムは、前記メモリに格納され、かつ、前記１つ以上のプロセッサにより実行されるように構成され、
３つ以上のオブジェクトを、順序づけされた集合として表示するインストラクションと、
前記タッチスクリーンディスプレイ上でジェスチャを検出するインストラクションと、
前記ジェスチャが、スワイプ・ジェスチャとタップ・ジェスチャとのいずれかを判定するインストラクションと、
前記ジェスチャがスワイプ・ジェスチャであるとの判定に応じて、
前記スワイプ・ジェスチャが第１の方向へのジェスチャであるとの判定に応じて、前記順序づけされた集合を２番目のオブジェクトが最も左の位置に表示されるように並進移動するインストラクションと、
前記スワイプ・ジェスチャが第２の方向へのジェスチャであるとの判定に応じて、前記順序づけされた集合を２番目のオブジェクトが最も右の位置に表示されるように並進移動するインストラクションと、
前記ジェスチャがタップ・ジェスチャであるとの判定に応じて、
前記３つ以上のオブジェクトの表示を、前記タップ・ジェスチャに対応する前記３つ以上のオブジェクトのうちの１つの拡大されたオブジェクトの表示により置換するインストラクションと
を含む、コンピュータ装置。
【請求項２１】
１つ以上のプログラムを記憶したコンピュータで読取可能な記憶媒体であって、前記１つ以上のプログラムはタッチスクリーンディスプレイを有するコンピュータ装置により実行されると、前記コンピュータ装置に、
３つ以上のオブジェクトを、順序づけされた集合として表示させ、
前記タッチスクリーンディスプレイ上でジェスチャを検出させ、
前記ジェスチャが、スワイプ・ジェスチャとタップ・ジェスチャとのいずれかを判定させ、
前記ジェスチャがスワイプ・ジェスチャであるとの判定に応じて、
前記スワイプ・ジェスチャが第１の方向へのジェスチャであるとの判定に応じて、前記順序づけされた集合を２番目のオブジェクトが最も左の位置に表示されるように並進移動させ、
前記スワイプ・ジェスチャが第２の方向へのジェスチャであるとの判定に応じて、前記順序づけされた集合を２番目のオブジェクトが最も右の位置に表示されるように並進移動させ、
前記ジェスチャがタップ・ジェスチャであるとの判定に応じて、
前記３つ以上のオブジェクトの表示を、前記タップ・ジェスチャに対応する前記３つ以上のオブジェクトのうちの１つの拡大されたオブジェクトの表示により置換させる
インストラクションを含む、記憶媒体。